(57)【要約】  基地局（２０）は、ライセンスドバンド送信部（２１０）と、キャリアセンス部（２０５）と、アンライセンスドバンド送信部（２２０）とを有する。ライセンスドバンド送信部（２１０）は、共用帯域におけるデータ送信を端末に要求する要求信号であって、端末の第１の送信タイミングを指定する要求信号を端末へ送信する。キャリアセンス部（２０５）は、共用帯域がアイドルまたはビジーのいずれであるかを判定する。アンライセンスドバンド送信部（２２０）は、キャリアセンス部（２０５）によって共用帯域がアイドルであると判定された場合に許可信号を送信する。要求信号または許可信号には、許可信号を受信しなかったことにより第１の送信タイミングで端末がデータ送信を行わなかった場合の次の送信タイミングである第２の送信タイミングを、第１の送信タイミングからの相対的な時間で指定するオフセットが含まれる。
2016162988.tif 000002
【特許請求の範囲】
【請求項１】
基地局と端末とを有する無線通信システム専用の専用帯域、および、他のシステムと共用される共用帯域を用いて前記端末と無線通信する前記基地局において、
前記共用帯域における前記端末のデータ送信を要求する要求信号であって、前記端末の第１の送信タイミングを指定する要求信号を前記端末へ送信する要求信号送信部と、
前記共用帯域がアイドルまたはビジーのいずれであるかを判定する判定部と、
前記判定部によって前記共用帯域がアイドルであると判定された場合に、前記共用帯域における前記端末のデータ送信を許可する許可信号を送信する許可信号送信部と
を有し、
前記要求信号または前記許可信号には、
前記許可信号を受信しなかったことにより前記第１の送信タイミングで前記端末がデータ送信を行わなかった場合の次の送信タイミングである第２の送信タイミングを、前記第１の送信タイミングからの相対的な時間で指定するオフセットが含まれることを特徴とする基地局。
【請求項２】
前記要求信号送信部は、
前記端末が前記許可信号の受信を待ち受ける期限を示す期限情報を、前記要求信号にさらに含めることを特徴とする請求項１に記載の基地局。
【請求項３】
前記オフセットは、
ＬＴＥ（Long  Term  Evolution）におけるサブフレームの単位で指定されることを特徴とする請求項１に記載の基地局。
【請求項４】
前記無線通信システムは、前記端末を複数有し、
前記オフセットは、
前記共用帯域におけるデータ送信期間として連続するサブフレームが割り当られた場合、該連続するサブフレームの数と同じ値に設定されることを特徴とする請求項３に記載の基地局。
【請求項５】
基地局と端末とを有する無線通信システム専用の専用帯域、および、他のシステムと共用される共用帯域を用いて前記基地局と無線通信する前記端末において、
前記共用帯域における前記端末のデータ送信を要求する要求信号、および、前記共用帯域における前記端末のデータ送信を許可する許可信号を受信する受信部と、
前記受信部が前記要求信号を受信してから所定時間後の第１の送信タイミングまでに前記許可信号を受信した場合に、前記第１の送信タイミングで、前記共用帯域において前記基地局へデータ送信を行う送信部と
を有し、
前記要求信号または前記許可信号には、
前記第１の送信タイミングで前記送信部がデータ送信を行わなかった場合の次の送信タイミングである第２の送信タイミングを、前記第１の送信タイミングからの相対的な時間で指定するオフセットが含まれており、
前記送信部は、
前記受信部が前記第１の送信タイミングより後に前記許可信号を受信した場合、前記オフセットで指定された前記第２の送信タイミングで、前記共用帯域において前記基地局へデータ送信を行うことを特徴とする端末。
【請求項６】
前記要求信号には、
前記許可信号の受信を待ち受ける期限を示す期限情報が含まれており、
前記送信部は、
自端末宛の前記要求信号に含まれている前記期限情報で示される期限までに、前記許可信号を受信しなかった場合、前記基地局へのデータ送信をキャンセルすることを特徴とする請求項５に記載の端末。
【請求項７】
基地局と端末とを有する無線通信システム専用の専用帯域、および、他のシステムと共用される共用帯域を用いて前記端末と無線通信する前記基地局において、
前記共用帯域における前記端末のデータ送信を要求する要求信号であって、前記端末の第１の送信タイミングを指定する要求信号を生成する生成部と、
前記要求信号を前記端末へ送信する送信部と
を有し、
前記要求信号には、
前記第１の送信タイミングで前記端末がデータ送信を行わなかった場合の次のデータ送信のタイミングである第２の送信タイミングを、前記第１の送信タイミングからの相対的な時間で指定するオフセットが含まれることを特徴とする基地局。
【請求項８】
前記要求信号には、
前記端末のデータ送信を延期可能な期限を示す期限情報が含まれていることを特徴とする請求項７に記載の基地局。
【請求項９】
前記オフセットは、
ＬＴＥにおけるサブフレームの単位で指定されることを特徴とする請求項７に記載の基地局。
【請求項１０】
前記無線通信システムは、前記端末を複数有し、
前記オフセットは、
前記共用帯域におけるデータ送信期間として連続するサブフレームが割り当てられた場合、該連続するサブフレームの数と同じ値に設定されることを特徴とする請求項９に記載の基地局。
【請求項１１】
基地局と端末とを有する無線通信システム専用の専用帯域、および、他のシステムと共用される共用帯域を用いて前記基地局と無線通信する前記端末において、
前記共用帯域における前記端末のデータ送信を要求する要求信号を受信する受信部と、
前記共用帯域がアイドルまたはビジーのいずれであるかを判定する判定部と、
前記受信部が前記要求信号を受信してから所定時間後の第１の送信タイミングにおいて前記判定部によって前記共用帯域がアイドルであると判定された場合に、前記共用帯域において前記基地局へデータ送信を行う送信部と
を有し、
前記要求信号には、
前記第１の送信タイミングでデータ送信を行わなかった場合の次の送信タイミングである第２の送信タイミングを、前記第１の送信タイミングからの相対的な時間で指定するオフセットが含まれており、
前記送信部は、
前記オフセットで指定された前記第２の送信タイミングにおいて前記共用帯域がアイドルである場合に、前記第２の送信タイミングにおいて前記基地局へデータ送信を行うことを特徴とする端末。
【請求項１２】
前記要求信号には、
前記端末のデータ送信を延期可能な期限を示す期限情報が含まれており、
前記送信部は、
前記期限情報が示す期限までの範囲内で、前記第２の送信タイミングにおいて前記判定部によって前記共用帯域がビジーであると判定された場合、前記オフセットの整数倍の期間が経過したタイミングを順次前記第２の送信タイミングとして特定することを特徴とする請求項１１に記載の端末。
【請求項１３】
基地局と端末とを有し、前記基地局と前記端末とが、自システム専用の専用帯域および他のシステムと共用される共用帯域を用いて無線通信する無線通信システムにおいて、
前記基地局は、
前記共用帯域における前記端末のデータ送信を要求する要求信号であって、前記端末の第１の送信タイミングを指定する要求信号を前記端末へ送信する要求信号送信部と、
前記共用帯域がアイドルまたはビジーのいずれであるかを判定する判定部と、
前記判定部によって前記共用帯域がアイドルであると判定された場合に、前記共用帯域における前記端末のデータ送信を許可する許可信号を送信する許可信号送信部と
を有し、
前記要求信号または前記許可信号には、
前記許可信号を受信しなかったことにより前記第１の送信タイミングで前記端末がデータ送信を行わなかった場合の次の送信タイミングである第２の送信タイミングを、前記第１の送信タイミングからの相対的な時間で指定するオフセットが含まれ、
前記端末は、
前記要求信号および前記許可信号を受信する受信部と、
前記受信部が前記要求信号を受信してから前記第１の送信タイミングまでに前記許可信号を受信した場合に、前記第１の送信タイミングで、前記共用帯域において前記基地局へデータ送信を行うデータ送信部と
を有し、
前記データ送信部は、
前記受信部が前記第１の送信タイミングより後に前記許可信号を受信した場合、前記オフセットで指定された前記第２の送信タイミングで、前記共用帯域において前記基地局へデータ送信を行うことを特徴とする無線通信システム。
【請求項１４】
基地局と端末とを有し、前記基地局と前記端末とが、自システム専用の専用帯域および他のシステムと共用される共用帯域を用いて無線通信する無線通信システムにおいて、
前記基地局は、
前記共用帯域における前記端末のデータ送信を要求する要求信号であって、前記端末の第１の送信タイミングを指定する要求信号を前記端末へ送信する要求信号送信部
を有し、
前記要求信号には、
前記第１の送信タイミングで前記端末がデータ送信を行わなかった場合の次のデータ送信のタイミングである第２の送信タイミングを、前記第１の送信タイミングからの相対的な時間で指定するオフセットが含まれ、
前記端末は、
前記要求信号を受信する受信部と、
前記共用帯域がアイドルまたはビジーのいずれであるかを判定する判定部と、
前記受信部が前記要求信号を受信した後の前記第１の送信タイミングにおいて前記判定部によって前記共用帯域がアイドルであると判定された場合に、前記共用帯域において前記基地局へデータ送信を行うデータ送信部と
を有し、
前記データ送信部は、
前記オフセットで指定された前記第２の送信タイミングにおいて前記共用帯域がアイドルである場合に、前記第２の送信タイミングにおいて前記基地局へデータ送信を行うことを特徴とする無線通信システム。
【請求項１５】
基地局と端末とを有する無線通信システム専用の専用帯域、および、他のシステムと共用される共用帯域を用いて前記端末と無線通信する前記基地局が、
前記共用帯域における前記端末のデータ送信を要求する要求信号であって、前記端末の第１の送信タイミングを指定する要求信号を前記端末へ送信し、
前記共用帯域がアイドルまたはビジーのいずれであるかを判定し、
前記共用帯域がアイドルであると判定した場合に、前記共用帯域における前記端末のデータ送信を許可する許可信号を送信する
処理を実行し、
前記要求信号または前記許可信号には、
前記許可信号を受信しなかったことにより前記第１の送信タイミングで前記端末がデータ送信を行わなかった場合の次の送信タイミングである第２の送信タイミングを、前記第１の送信タイミングからの相対的な時間で指定するオフセットが含まれることを特徴とする基地局の制御方法。
【請求項１６】
基地局と端末とを有する無線通信システム専用の専用帯域、および、他のシステムと共用される共用帯域を用いて前記基地局と無線通信する前記端末が、
前記共用帯域における前記端末のデータ送信を要求する要求信号、および、前記共用帯域における前記基地局へのデータ送信を許可する許可信号を受信し、
前記要求信号を受信してから所定時間後の第１の送信タイミングまでに前記許可信号を受信した場合に、前記第１の送信タイミングで、前記共用帯域において前記基地局へデータ送信を行う
処理を実行し、
前記要求信号または前記許可信号には、
前記第１の送信タイミングでデータ送信を行わなかった場合の次の送信タイミングである第２の送信タイミングを、前記第１の送信タイミングからの相対的な時間で指定するオフセットが含まれており、
前記データ送信を行う処理では、
前記第１の送信タイミングより後に前記許可信号を受信した場合、前記オフセットで指定された前記第２の送信タイミングで、前記共用帯域において前記基地局へデータ送信を行うことを特徴とする端末の制御方法。
【請求項１７】
基地局と端末とを有する無線通信システム専用の専用帯域、および、他のシステムと共用される共用帯域を用いて前記端末と無線通信する前記基地局が、
前記共用帯域における前記端末のデータ送信を要求する要求信号であって、前記端末の第１の送信タイミングを指定する要求信号を生成し、
前記要求信号を前記専用帯域において前記端末へ送信する
処理を実行し、
前記要求信号には、
前記第１の送信タイミングで前記端末がデータ送信を行わなかった場合の次のデータ送信のタイミングである第２の送信タイミングを、前記第１の送信タイミングからの相対的な時間で指定するオフセットが含まれることを特徴とする基地局の制御方法。
【請求項１８】
基地局と端末とを有する無線通信システム専用の専用帯域、および、他のシステムと共用される共用帯域を用いて前記基地局と無線通信する前記端末が、
前記共用帯域における前記端末のデータ送信を要求する要求信号を受信し、
前記共用帯域がアイドルまたはビジーのいずれであるかを判定し、
前記要求信号を受信してから所定時間後の第１の送信タイミングにおいて前記共用帯域がアイドルであると判定した場合に、前記共用帯域において前記基地局へデータ送信を行う
処理を実行し、
前記要求信号には、
前記第１の送信タイミングでデータ送信を行わなかった場合の次の送信タイミングである第２の送信タイミングを、前記第１の送信タイミングからの相対的な時間で指定するオフセットが含まれており、
前記データ送信を行う処理では、
前記オフセットで指定された前記第２の送信タイミングにおいて前記共用帯域がアイドルである場合に、前記第２の送信タイミングにおいて前記基地局へデータ送信を行うことを特徴とする端末の制御方法。
【発明の詳細な説明】
【技術分野】
【０００１】
本発明は、基地局、端末、無線通信システム、基地局の制御方法および端末の制御方法に関する。
【背景技術】
【０００２】
近年、携帯電話システム等の無線通信システムにおいて、無線通信の更なる高速化や大容量化等を図るため、次世代の無線通信技術について議論が行われている。例えば、ＬＴＥ（Long  Term  Evolution）と呼ばれる通信規格において、免許を要する周波数帯の搬送波（ＬＣ：Licensed  band  Carrier）と、免許が不要な周波数帯の搬送波（ＵＣ：Unlicensed  band  Carrier）とを用いて通信を行う技術が検討されている。該技術は、ＬＡＡ（Licensed  Assisted  Access）と呼ばれる。【０００３】
ＬＡＡでは、端末がアンライセンスドバンドにおいて基地局へＵＬ（Up  Link）の送信を行う場合、基地局は、データの送信を要求するＵＬグラントを、ライセンスドバンドを介して端末へ送信する。そして、基地局は、例えば、端末がＵＬにおける送信を行う前に、アンライセンスドバンドにおいてＬＢＴ（Listen  Before  Talk）を実行する。そして、アンライセンスドバンドのアイドルを検出した場合、基地局は、例えば、端末がＵＬのデータ送信に用いるアンライセンスドバンドを確保するために、端末の送信タイミングまで、予約信号をアンライセンスドバンドに送信することが検討されている。これにより、端末は、ＵＬグラントから所定期間後にアンライセンスドバンドを用いてＵＬのデータ送信を行うことができる。
【先行技術文献】
【非特許文献】
【０００４】
【非特許文献１】３ＧＰＰ  ＲＡＮ１  寄書  Ｒ１−１５０１８６
【発明の概要】
【発明が解決しようとする課題】
【０００５】
ところで、上記非特許文献の技術では、アンライセンスドバンドのビジー状態が継続し、ＵＬのデータ送信のタイミングまでに端末がアンライセンスドバンドにおいて予約信号を受信しなかった場合、端末は、例えばＵＬのデータ送信をキャンセルする。これにより、端末によって送信される予定のデータの送信機会は、次に基地局から送信されたＵＬグラントから所定期間が経過するまで延期されることになる。そのため、端末から基地局へのＵＬにおけるデータ送信のスループットが低下する場合がある。【０００６】
１つの側面では、本発明は、アンライセンスドバンドにおけるＵＬのスループットを向上させることができる基地局、端末、無線通信システム、基地局の制御方法および端末の制御方法を提供する。
【課題を解決するための手段】
【０００７】
本願に開示する基地局は、一つの態様において、基地局と端末とを有する無線通信システム専用の専用帯域、および、他のシステムと共用される共用帯域を用いて端末と無線通信する基地局であって、要求信号送信部と、判定部と、許可信号送信部とを有する。要求信号送信部は、共用帯域におけるデータ送信を端末に要求する要求信号であって、端末の第１の送信タイミングを指定する要求信号を端末へ送信する。判定部は、共用帯域がアイドルまたはビジーのいずれであるかを判定する。許可信号送信部は、判定部によって共用帯域がアイドルであると判定された場合に、共用帯域における端末のデータ送信を許可する許可信号を送信する。要求信号または許可信号には、許可信号を受信しなかったことにより第１の送信タイミングで端末がデータ送信を行わなかった場合の次の送信タイミングである第２の送信タイミングを、第１の送信タイミングからの相対的な時間で指定するオフセットが含まれる。
【発明の効果】
【０００８】
本発明の一側面によれば、アンライセンスドバンドにおけるＵＬのスループットを向上させることができる。
【図面の簡単な説明】
【０００９】
【図１】図１は、無線通信システムの一例を示す図である。
【図２】図２は、実施例１における無線通信システムの動作の一例を示す図である。
【図３】図３は、実施例１における無線通信システムの動作の一例を示す図である。
【図４】図４は、実施例１における基地局の一例を示すブロック図である。
【図５】図５は、実施例１における端末の一例を示すブロック図である。
【図６】図６は、実施例１における基地局の動作の一例を示すフローチャートである。
【図７】図７は、実施例１における端末の動作の一例を示すフローチャートである。
【図８】図８は、実施例２における基地局の動作の一例を示すフローチャートである。
【図９】図９は、実施例２における端末の動作の一例を示すフローチャートである。
【図１０】図１０は、実施例３における無線通信システムの動作の一例を示す図である。
【図１１】図１１は、実施例３における端末の一例を示すブロック図である。
【図１２】図１２は、実施例３における基地局の動作の一例を示すフローチャートである。
【図１３】図１３は、実施例３における端末の動作の一例を示すフローチャートである。
【図１４】図１４は、実施例３における端末の動作の一例を示すフローチャートである。
【図１５】図１５は、基地局または端末の機能を実現する無線通信装置の一例を示す図である。
【発明を実施するための形態】
【００１０】
以下に、本願に開示する基地局、端末、無線通信システム、基地局の制御方法および端末の制御方法の実施例を、図面に基づいて詳細に説明する。なお、以下の実施例は開示の技術を限定するものではない。また、各実施例は、処理内容を矛盾させない範囲で適宜組み合わせることが可能である。
【実施例１】
【００１１】
［無線通信システム１０］
図１は、無線通信システム１０の一例を示す図である。無線通信システム１０は、基地局２０、基地局２２、および端末３０ａ〜３０ｆを含む。なお、以下では、端末３０ａ〜３０ｆのそれぞれを区別することなく総称する場合に端末３０と記載する。基地局２０は、例えばＬＴＥに基づく無線通信を行う。基地局２０は、例えばＬＴＥにおけるｅＮＢ（evolved  Node  B）である。端末３０は、例えばＬＴＥにおけるＵＥ（User  Equipment）である。端末３０は、基地局２０が管理するセルに属しており、該セル内において基地局２０と通信を行う。なお、以下の説明では、基地局２０と端末３０とをＬＴＥシステムと記載する場合がある。【００１２】
基地局２２は、例えば基地局２０が属するＬＴＥシステムとは異なるシステムに属する基地局である。基地局２２は、例えば基地局２０が属するＬＴＥシステムとは異なる事業者のＬＴＥシステムに属する基地局、または、無線ＬＡＮシステム等の他の通信システムに属する基地局である。【００１３】
基地局２０は、基地局２０が属するＬＴＥシステム専用の第１の帯域と、基地局２０が属するＬＴＥシステムと他の通信システムとで共用される第２の帯域とを用いて、セル内の端末３０と無線通信を行う。第１の帯域は、例えば２ＧＨｚ帯のＬＣである。第２の帯域は、例えば５ＧＨｚ帯のＵＣである。以下では、第１の帯域をライセンスドバンド、第２の帯域をアンライセンスドバンドと呼ぶ。【００１４】
基地局２０が属するＬＴＥシステムにおいて、第１の帯域は、例えばＰＣＣ（Primary  Component  Carrier）に割り当てられ、第２の帯域は、例えばＳＣＣ（Secondary  Component  Carrier）に割り当てられる。本実施例において、第１の帯域は、基地局２０が属するＬＴＥシステムの専用帯域であり、第２の帯域は、基地局２０が属するＬＴＥシステムと、基地局２２が属する他の通信システムとで共用される共用帯域である。【００１５】
また、図１において、符号２１は、任意の装置から送信された電波が、基地局２０のキャリアセンスによってビジーであると判定される強度で基地局２０に届く範囲を示す。また、符号２３は、任意の装置から送信された電波が、基地局２２のキャリアセンスによってビジーであると判定される強度で基地局２２に届く範囲を示す。【００１６】
基地局２０は、アンライセンスドバンドを用いたＵＬのデータ送信を端末３０に要求する場合、ＵＬのデータ送信に用いられるリソースの情報を含むＵＬグラントを、ライセンスドバンドにおいて端末３０へ送信する。ＵＬグラントは、端末３０に基地局２０へのデータ送信を要求する要求信号の一例である。そして、基地局２０は、端末３０によるＵＬのデータ送信のタイミングより前のタイミングで、アンライセンスドバンドにおいてＬＢＴを実行する。そして、基地局２０は、アンライセンスドバンドがアイドルであると判定した場合、アンライセンスドバンドに許可信号を送信する。本実施例において、許可信号は、例えばＣＴＳ（Clear  To  Send）信号である。ＵＬグラントを受信した端末３０は、アンライセンスドバンドにおいて許可信号を検出した場合、ＵＬグラントで指定されたアンライセンスドバンドのリソースを用いてＵＬのデータ送信を行う。【００１７】
［無線通信システム１０の動作］
次に、図２および図３を用いて、基地局２０からの指示に応じて端末３０がアンライセンスドバンドにおいて基地局２０へデータ送信を行う場合の動作の一例について説明する。図２および図３は、実施例１における無線通信システム１０の動作の一例を示す図である。図２は、基地局２０によるＬＢＴ実行時に、アンライセンスドバンドのアイドルが検出された場合を示しており、図３は、基地局２０によるＬＢＴ実行時に、アンライセンスドバンドのビジーが検出された場合を示している。【００１８】
図２および図３において、上段は、基地局２０の動作を示しており、下段は、端末３０ａ〜３０ｆの動作を示している。また、図２および図３において、横軸は時間の流れを示しており、ｔ１〜ｔ８のそれぞれは、例えばＬＴＥにおけるサブフレーム単位の期間（例えば１ミリ秒）を示している。アンライセンスドバンド（ＵＣ）は、例えば図２および図３の下段に示すように複数のサブバンドに分けられている。本実施例において、アンライセンスドバンドは、例えば２０ＭＨｚであり、例えば５ＭＨｚ毎に４つのサブバンドに分けられている。【００１９】
基地局２０は、例えば図２に示すように、端末３０ａおよび端末３０ｂに対するデータの送信要求が発生した場合に、ＵＬにおけるデータ送信を要求するＵＬグラント４０−１を作成する。そして、基地局２０は、作成したＵＬグラント４０−１を、ライセンスドバンド（ＬＣ）において端末３０ａおよび端末３０ｂへ送信する。同様に、端末３０ｃおよび端末３０ｄに対するデータの送信要求が発生した場合、基地局２０は、ＵＬグラント４０−２を、ライセンスドバンドにおいて端末３０ｃおよび端末３０ｄへ送信する。同様に、端末３０ｅおよび端末３０ｆに対するデータの送信要求が発生した場合、基地局２０は、ＵＬグラント４０−３を、ライセンスドバンドにおいて端末３０ｅおよび端末３０ｆへ送信する。【００２０】
図２に示した例では、基地局２０は、例えばサブフレーム期間ｔ１においてＵＬグラント４０−１を送信し、サブフレーム期間ｔ２においてＵＬグラント４０−２を送信し、サブフレーム期間ｔ３においてＵＬグラント４０−３を送信する。端末３０は、ＵＬグラント４０を受信してから所定時間後の第１の送信タイミングまでに、アンライセンスドバンドにおいて許可信号を受信した場合に、該第１のタイミングで、アンライセンスドバンドにおいて基地局２０へデータ送信を行う。本実施例において、第１の送信タイミングは、端末３０がＵＬグラント４０を受信したサブフレームから例えば４サブフレーム後のタイミングである。【００２１】
本実施例において、それぞれのＵＬグラント４０には、サブバンドの情報、オフセット、および期限情報が含まれる。ＵＬグラント４０に含まれるサブバンドの情報は、ＵＬグラント４０を受信した端末３０がＵＬのデータ送信を行う場合に使用するアンライセンスドバンドのサブバンドを示す。オフセットは、端末３０が、ＵＬグラント４０の受信後の第１の送信タイミングまでに許可信号を受信せず、かつ、第１の送信タイミング以降に許可信号を受信した場合に、端末３０が次にデータ送信を行う第２の送信タイミングを指定する情報である。オフセットにおいて、第２の送信タイミングは、例えば第１の送信タイミングからの相対的な時間で指定される。本実施例において、第２の送信タイミングは、例えばサブフレーム単位で指定される。【００２２】
また、ＵＬグラント４０に含まれる期限情報は、ＵＬグラント４０を受信した端末３０が許可信号を待ち受ける期限を示す。本実施例において、期限情報は、例えばＵＬグラント４０が送信されたサブフレームを基準として、サブフレーム単位で指定される。本実施例において、期限情報で指定される期限は、例えばＵＬグラント４０が送信されたサブフレームから１０サブフレーム後のタイミングである。なお、期限情報は、ＵＬの再送の試行が許容される回数で指定されてもよい。【００２３】
本実施例において、基地局２０は、ＵＬにおけるデータ送信の期間を、サブフレーム単位で各端末３０に割り当てる。また、基地局２０は、複数の端末３０が行うＵＬのデータ送信に同一のサブバンドを割り当てる場合、それぞれの端末３０からのデータ送信が、連続するサブフレームにおいて送信されるようにスケジュールリングを行う。なお、アンライセンスドバンドは、基地局２０が属するＬＴＥシステムとは異なる通信システムにおいても使用される。そのため、データ送信のために連続して占有可能な期間が制限される場合がある。その場合には、基地局２０は、制限の範囲内で、それぞれの端末３０からのデータ送信が、連続するサブフレームにおいて送信されるようにスケジュールリングを行う。【００２４】
そして、基地局２０は、同一のサブバンドを使用したデータ送信を行う複数の端末３０のそれぞれに対して、連続するそれぞれのサブフレームにおいてＵＬグラント４０を送信する。図２の例では、基地局２０は、例えば、端末３０ａ、３０ｃ、および３０ｅが行うＵＬのデータ送信に同一のサブバンド１を割り当て、端末３０ｂ、３０ｄ、および３０ｆが行うＵＬのデータ送信に同一のサブバンド２を割り当てる。そして、基地局２０は、連続するサブフレーム期間ｔ１〜ｔ３において、ＵＬグラント４０−１〜４０−３をそれぞれ送信する。【００２５】
ＵＬグラント４０を送信した後、基地局２０は、ＵＬグラント４０の送信から所定時間後（例えば３サブフレーム後）に、アンライセンスドバンドにおいてＬＢＴを実行する。ＬＢＴでは、所定のバックオフの期間４１、アンライセンスドバンドのアイドル状態が継続したことを確認した場合、基地局２０は、アンライセンスドバンド内の全てのサブバンドに許可信号４２を送信する。許可信号４２は、例えば、許可信号４２の送信終了後のＳＩＦＳ（Short  Inter  Frame  Space）の期間４３の終了タイミングが、許可信号４２が送信されたサブフレームと次のサブフレームとの境界のタイミングとなる長さでアンライセンスドバンドに送信される。【００２６】
端末３０は、ＵＬグラント４０を受信した場合に、ＵＬのデータ送信に使用するアンライセンスドバンドのサブバンドの情報、オフセット、および期限情報をＵＬグラント４０から取得する。そして、端末３０は、ＵＬグラント４０の受信後の第１の送信タイミングより前までの間に、許可信号４２をアンライセンスドバンドで受信した場合に、第１の送信タイミングにおいて、ＵＬグラント４０で指定されたサブバンドにおいてデータ送信を行う。【００２７】
図２に示した例では、端末３０ａおよび３０ｂは、ＵＬグラント４０−１を受信してから所定時間後の第１の送信タイミングであるサブフレーム期間ｔ５より前までの間のサブフレーム期間ｔ４において許可信号４２を受信する。そして、端末３０ａは、サブフレーム期間ｔ５においてＵＬのデータ４４−１を送信し、端末３０ｂは、サブフレーム期間ｔ５においてＵＬのデータ４５−１を送信する。同様に、端末３０ｃおよび３０ｄは、ＵＬグラント４０−２を受信してから所定時間後のサブフレーム期間ｔ６より前までの間に許可信号４２を受信する。そして、端末３０ｃは、サブフレーム期間ｔ６においてＵＬのデータ４４−２を送信し、端末３０ｄは、サブフレーム期間ｔ６においてＵＬのデータ４５−２を送信する。同様に、端末３０ｅおよび３０ｆは、ＵＬグラント４０−３を受信してから所定時間後のサブフレーム期間ｔ７より前までの間に許可信号４２を受信する。そして、端末３０ｅは、サブフレーム期間ｔ７においてＵＬのデータ４４−３を送信し、端末３０ｆは、サブフレーム期間ｔ７においてＵＬのデータ４５−３を送信する。【００２８】
一方、例えば図３に示すように、ＵＬグラント４０の送信から所定時間後のサブフレーム期間ｔ４において、アンライセンスドバンドに他の信号４６が送信されている場合、基地局２０は、ＬＢＴによりアンライセンスドバンドのビジーを検出する。そして、基地局２０は、アンライセンスドバンドにおいてＬＢＴを継続する。そして、例えば図３に示すように、サブフレーム期間ｔ５においてアンライセンスドバンドのアイドルを検出した場合、基地局２０は、所定のバックオフの期間４１、アイドル状態の継続を確認した後に、アンライセンスドバンドに許可信号４２を送信する。【００２９】
図３に示した例では、端末３０ａおよび３０ｂは、ＵＬグラント４０−１を受信してから所定時間後の第１の送信タイミングを含むサブフレーム期間ｔ５より前までの間に許可信号４２を受信しない。そして、端末３０ａおよび３０ｂは、ＵＬグラント４０−１を受信してから所定時間後の第１の送信タイミングを含むサブフレーム期間ｔ５において許可信号４２を受信する。【００３０】
そのため、端末３０は、ＵＬグラント４０−１の受信から所定時間後の第１の送信タイミングを基準として、ＵＬグラント４０−１から取得したオフセットで指定された時間が経過した第２の送信タイミングで、基地局２０へのデータ送信を行う。図３の例では、それぞれのＵＬグラント４０には、３サブフレームの期間を指定するオフセットが含まれている。そのため、端末３０ａおよび３０ｂは、ＵＬグラント４０−１の受信から所定時間後のサブフレーム期間ｔ５を基準として、サブフレーム期間ｔ５から３サブフレームの期間後のサブフレーム期間ｔ８を第２の送信タイミングとして特定する。そして、端末３０ａは、サブフレーム期間ｔ８においてＵＬのデータ４４−１を送信し、端末３０ｂは、サブフレーム期間ｔ８においてＵＬのデータ４５−１を送信する。【００３１】
ここで、本実施例において、オフセットの値は、同一のサブバンドにおいてＵＬのデータ送信タイミングとして連続して割り当てられるサブフレームの数と同一の値に設定される。図３の例では、同一のサブバンドにおいてＵＬのデータ送信タイミングとして連続して割り当てられるサブフレームの数は３である。そのため、図３の例では、オフセットの値は例えば３に設定される。なお、図３の例では、同一のサブバンドにおいてＵＬのデータ送信タイミングとして連続して割り当てられるサブフレームは、それぞれ別々の端末３０に割り当てられるが、連続する複数のサブフレームが１つの端末３０に割り当てられてもよい。【００３２】
なお、図３の例において、端末３０ｃ〜３０ｆは、ＵＬグラント４０を受信してから所定時間後のサブフレームの期間までの間に許可信号４２を受信する。そのため、端末３０ｃ〜３０ｆは、送信タイミングの延期は行わず、ＵＬグラント４０を受信してから所定時間後のサブフレームの期間において、ＵＬのデータ４４および４５を送信する。【００３３】
このように、各端末３０は、ＵＬグラント４０の受信後の第１の送信タイミングまでに許可信号４２を受信しなかった場合、第１の送信タイミングから、ＵＬグラント４０内のオフセットで指定された期間が経過した第２の送信タイミングでデータ送信を行う。これにより、ＵＬグラント４０の受信から所定時間後の第１の送信タイミングまでに端末３０が許可信号４２を受信しなかった場合、ＵＬグラント４０の再送により端末３０の送信機会が再度指定されなくても、端末３０は、ＵＬのデータ送信を行うことができる。これにより、端末３０は、ＵＬグラント４０の再送から所定時間後のタイミングよりも早期にＵＬにおけるデータ送信の機会を得ることができる。これにより、ＵＬにおけるスループットを向上させることができる。【００３４】
また、本実施例において、オフセットの値は、同一のサブバンドにおいてＵＬのデータ送信タイミングとして連続して割り当てられるサブフレームの数と同一の値に設定される。これにより、ＵＬグラント４０の受信後の第１の送信タイミングからオフセットで指定された期間が経過した後の第２の送信タイミングでデータ送信を行っても、データの送信タイミングが、他の端末３０の送信タイミングと重なることを回避することができる。そのため、基地局２０は、端末３０から送信されたデータをより確実に受信することができる。【００３５】
また、本実施例において、オフセットの値は、同一のサブバンドにおいてＵＬのデータ送信タイミングとして連続して割り当てられるサブフレームの数と同一の値に設定される。これにより、ＵＬグラント４０の受信後の第１の送信タイミングまでに許可信号を受信しなかった端末３０のデータ送信のタイミングが、連続して割り当てられたサブフレームの次のサブフレームのタイミングとなる。これにより、データ送信のタイミングが延期された場合でも、それぞれのデータの送信タイミングは、連続したサブフレームに割り当てられる。これにより、アンライセンスドバンドにおいて、延期されたデータの送信を開始する前に、他の通信装置によるデータ送信が開始されることを防止することができる。【００３６】
［基地局２０］
図４は、実施例１における基地局２０の一例を示すブロック図である。基地局２０は、パケット生成部２００、ＭＡＣ（Media  Access  Control）スケジューリング部２０１、上りリンク管理部２０２、およびＲＲＣ（Radio  Resource  Control）制御部２０３を有する。また、基地局２０は、ＭＡＣ・ＲＬＣ（Radio  Link  Control）処理部２０４およびキャリアセンス部２０５を有する。また、基地局２０は、ライセンスドバンド送信部２１０、アンライセンスドバンド送信部２２０、アンライセンスドバンド受信部２３０、ライセンスドバンド受信部２４０、アンテナ２１６、アンテナ２２６、アンテナ２３５、およびアンテナ２４５を有する。なお、本実施例において、アンテナ２１６、アンテナ２２６、アンテナ２３５、およびアンテナ２４５は、別々のアンテナにより実現されるが、他の例として、これらのアンテナは１つのアンテナにより実現されてもよい。【００３７】
ライセンスドバンド受信部２４０は、ライセンスドバンドにおいて受信した信号からデータを復号する処理を行う。ライセンスドバンド受信部２４０は、復号部２４１、復調部２４２、ＦＦＴ処理部２４３、および無線処理部２４４を有する。【００３８】
無線処理部２４４は、アンテナ２４５を介して受信した信号の無線処理を行う。無線処理部２４４によって行われる無線処理には、例えば受信信号の周波数をライセンスドバンドの周波数からベースバンドの周波数へ変換する処理が含まれる。無線処理部２４４は、無線処理が行われた受信信号をＦＦＴ処理部２４３へ出力する。【００３９】
ＦＦＴ処理部２４３は、無線処理部２４４から出力された受信信号に対してＦＦＴ（Fast  Fourier  Transform）処理を行う。これにより、ライセンスドバンドからベースバンドに周波数変換された受信信号が時間領域から周波数領域に変換される。ＦＦＴ処理部２４３は、ＦＦＴ処理が行われた受信信号を復調部２４２へ出力する。【００４０】
復調部２４２は、ＦＦＴ処理部２４３から出力された受信信号を復調する。そして、復調部２４２は、復調後の受信信号を復号部２４１へ出力する。復号部２４１は、復調部２４２から出力された受信信号を復号する。そして、復号部２４１は、復号後のデータをＭＡＣ・ＲＬＣ処理部２０４へ出力する。【００４１】
アンライセンスドバンド受信部２３０は、アンライセンスドバンドにおいて受信した信号からデータを復号する処理を行う。アンライセンスドバンド受信部２３０は、復号部２３１、復調部２３２、ＦＦＴ処理部２３３、および無線処理部２３４を有する。【００４２】
無線処理部２３４は、アンテナ２３５を介して受信した信号の無線処理を行う。無線処理部２３４によって行われる無線処理には、例えば受信信号の周波数をアンライセンスドバンドの周波数からベースバンドの周波数へ変換する処理が含まれる。無線処理部２３４は、無線処理が行われた受信信号をＦＦＴ処理部２３３およびキャリアセンス部２０５へ出力する。【００４３】
ＦＦＴ処理部２３３は、無線処理部２３４から出力された受信信号に対してＦＦＴ処理を行う。これにより、アンライセンスドバンドからベースバンドに周波数変換された受信信号が時間領域から周波数領域に変換される。ＦＦＴ処理部２３３は、ＦＦＴ処理が行われた受信信号を復調部２３２へ出力する。【００４４】
復調部２３２は、ＦＦＴ処理部２３３から出力された受信信号を復調する。そして、復調部２３２は、復調後の受信信号を復号部２３１へ出力する。復号部２３１は、復調部２３２から出力された受信信号を復号する。そして、復号部２３１は、復号後のデータをＭＡＣ・ＲＬＣ処理部２０４へ出力する。【００４５】
キャリアセンス部２０５は、無線処理部２３４から出力された受信信号に基づいて、アンライセンスドバンドにおける干渉電力を測定し、測定結果に基づいて、アンライセンスドバンドがアイドルまたはビジーのいずれであるかを判定する。そして、キャリアセンス部２０５は、判定結果を上りリンク管理部２０２へ出力する。キャリアセンス部２０５は、例えば、上りリンク管理部２０２からキャリアセンスの開始および終了に関するタイミング情報や所定アイドル期間などの情報を受信し、区切りのタイミングまでにアイドルと判定できたかどうかを上りリンク管理部２０２に返信する。【００４６】
ＭＡＣ・ＲＬＣ処理部２０４は、復号部２３１および復号部２４１から出力されたデータに基づいてＭＡＣ層における処理およびＲＬＣ層における処理を行う。ＭＡＣ・ＲＬＣ処理部２０４は、各層の処理によって得られたデータを、例えば基地局２０の上位の装置へ出力する。また、ＭＡＣ・ＲＬＣ処理部２０４は、各層の処理によって得られたデータに含まれる制御情報をＲＲＣ制御部２０３へ出力する。【００４７】
ＲＲＣ制御部２０３は、ＭＡＣ・ＲＬＣ処理部２０４から出力された制御情報に基づいて無線リソース制御を行う。ＲＲＣ制御部２０３は、無線リソース制御に基づいて制御情報を生成し、生成した制御情報を上りリンク管理部２０２へ出力する。【００４８】
上りリンク管理部２０２は、ＲＲＣ制御部２０３から出力された制御情報に基づいてＭＡＣ層の制御を行う。また、上りリンク管理部２０２は、端末３０に対するデータの送信要求が発生した場合に、ＵＬにおけるデータ送信を要求するＵＬグラントを作成する。そして、上りリンク管理部２０２は、作成したＵＬグラントを含む制御信号を、後述する多重部２１３へ出力することにより、ＵＬグラントを端末３０へ送信する。【００４９】
ＵＬグラントには、端末３０がＵＬのデータ送信において使用するサブバンドの情報、オフセット、および期限情報が含まれる。本実施例において、オフセットは、例えば２ビットの値により、第２の送信タイミングを第１の送信タイミングからの相対的な時間で指定する。例えば２ビットの値が「０１」である場合、オフセットは、第２の送信タイミングが第１の送信タイミングから１サブフレーム後のタイミングであることを示す。また、例えば２ビットの値が「１０」である場合、オフセットは、第２の送信タイミングが第１の送信タイミングから２サブフレーム後のタイミングであることを示す。また、例えば２ビットの値が「１１」である場合、オフセットは、第２の送信タイミングが第１の送信タイミングから３サブフレーム後のタイミングであることを示す。なお、例えば２ビットの値が「００」である場合、オフセットは、端末３０がＵＬグラント４０の受信後の第１の送信タイミングまでに許可信号を受信しなかった場合に、端末３０がデータ送信をキャンセルすることを示す。【００５０】
例えば、端末３０が、オフセットとして「１１」が設定されたＵＬグラント４０を受信し、該ＵＬグラント４０の受信後の第１の送信タイミングまでに許可信号を受信せず、かつ、第１の送信タイミングから７サブフレーム後に許可信号を受信した場合を考える。この場合、端末３０は、例えば、７をオフセットの値である３で割った余りを求め、求めた値を、オフセットの値である３から引く。そして、端末３０は、残った数分のサブフレーム期間の後のサブフレームの期間を第２の送信タイミングとして特定する。そして、端末３０は、特定した第２の送信タイミングでＵＬのデータ送信を行う。７をオフセットの値である３で割った余りは１であるため、端末３０は、例えば、許可信号を受信したサブフレームから２サブフレーム後のサブフレームの期間にＵＬのデータ送信を行う。【００５１】
また、本実施例において、期限情報には、例えば１ビットの値により２通りの期限のいずれかが指定される。例えば１ビットの値が「０」である場合、期限情報は、第１の送信タイミングから５サブフレーム後のタイミングが期限であることを示す。また、例えば１ビットの値が「１」である場合、期限情報は、第１の送信タイミングから１０サブフレーム後のタイミングが期限であることを示す。なお、本実施例において、期限情報は、オフセットに「００」以外の値が設定された場合に有効となる。なお、オフセットおよび期限情報として、３ビット以上を用いて任意の値を指定できるようにしてもよい。【００５２】
上りリンク管理部２０２は、端末３０にＵＬグラントを送信した後に、許可信号を生成し、生成した許可信号を、後述する多重部２２３へ出力する。そして、上りリンク管理部２０２は、端末３０によるＵＬのデータ送信タイミングより前に、キャリアセンス部２０５にアンライセンスドバンドのＬＢＴを実行させる。そして、キャリアセンス部２０５は、アンライセンスドバンドのアイドルを検出した場合、後述するＩＦＦＴ処理部２２４に送信信号の送信を指示する。これにより、許可信号がアンライセンスドバンドに送信される。【００５３】
パケット生成部２００は、上位の装置から出力されたユーザデータを含むパケットを生成する。そして、パケット生成部２００は、生成したパケットをＭＡＣスケジューリング部２０１へ出力する。【００５４】
ＭＡＣスケジューリング部２０１は、パケット生成部２００から出力されたパケットに対してＭＡＣ層におけるスケジューリングを行う。そして、ＭＡＣスケジューリング部２０１は、パケット生成部２００が生成したパケットのライセンスドバンド送信部２１０またはアンライセンスドバンド送信部２２０への出力を、スケジューリングの結果に基づいて制御する。【００５５】
ライセンスドバンド送信部２１０は、ライセンスドバンドにおいてデータを送信する処理を行う。ライセンスドバンド送信部２１０は、符号化部２１１、変調部２１２、多重部２１３、ＩＦＦＴ（Inverse  FFT）処理部２１４、および無線処理部２１５を有する。【００５６】
符号化部２１１は、ＭＡＣスケジューリング部２０１から出力されたパケットのデータを符号化する。そして、符号化部２１１は、符号化されたパケットのデータを変調部２１２へ出力する。変調部２１２は、符号化部２１１から出力されたデータを変調する。そして、変調部２１２は、変調後の信号を多重部２１３へ出力する。【００５７】
多重部２１３は、上りリンク管理部２０２から出力されたＵＬグラント等を含む制御信号と、変調部２１２から出力された信号とを多重化する。そして、多重部２１３は、多重化された送信信号をＩＦＦＴ処理部２１４へ出力する。【００５８】
ＩＦＦＴ処理部２１４は、多重部２１３から出力された送信信号に対してＩＦＦＴ処理を行う。これにより、多重部２１３から出力された送信信号が周波数領域から時間領域に変換される。ＩＦＦＴ処理部２１４は、ＩＦＦＴ処理後の送信信号を無線処理部２１５へ出力する。【００５９】
無線処理部２１５は、ＩＦＦＴ処理部２１４から出力された送信信号に対して無線処理を行う。無線処理部２１５によって行われる無線処理には、例えば送信信号の周波数をベースバンドの周波数からライセンスドバンドの周波数へ変換する処理が含まれる。無線処理部２１５は、無線処理後の送信信号をアンテナ２１６から送信する。【００６０】
アンライセンスドバンド送信部２２０は、アンライセンスドバンドにおいてデータを送信する処理を行う。アンライセンスドバンド送信部２２０は、符号化部２２１、変調部２２２、多重部２２３、ＩＦＦＴ処理部２２４、および無線処理部２２５を有する。【００６１】
符号化部２２１は、ＭＡＣスケジューリング部２０１から出力されたパケットのデータを符号化する。そして、符号化部２２１は、符号化されたパケットのデータを変調部２２２へ出力する。変調部２２２は、符号化部２２１から出力されたパケットのデータを変調する。そして、変調部２２２は、変調後の信号を多重部２２３へ出力する。【００６２】
多重部２２３は、上りリンク管理部２０２から出力された許可信号等を含む制御信号と、変調部２２２から出力された信号とを多重化する。そして、多重部２２３は、多重化された送信信号をＩＦＦＴ処理部２２４へ出力する。【００６３】
ＩＦＦＴ処理部２２４は、多重部２２３から出力された送信信号に対してＩＦＦＴ処理を行う。これにより、多重部２２３から出力された送信信号が周波数領域から時間領域に変換される。ＩＦＦＴ処理部２２４は、キャリアセンス部２０５から送信信号の送信を指示された場合に、ＩＦＦＴ処理後の送信信号を無線処理部２２５へ出力する。【００６４】
無線処理部２２５は、ＩＦＦＴ処理部２２４から出力された送信信号に対して無線処理を行う。無線処理部２２５によって行われる無線処理には、例えば送信信号の周波数をベースバンドの周波数からアンライセンスドバンドの周波数へ変換する処理が含まれる。無線処理部２２５は、無線処理後の送信信号をアンテナ２２６から送信する。【００６５】
［端末３０］
図５は、実施例１における端末３０の一例を示すブロック図である。端末３０は、アンテナ３００、復号部３０１、ＲＲＣ処理部３０４、上りリンク管理部３０５、符号化・変調部３０６、およびパケット生成部３０７を有する。また、端末３０は、ライセンスドバンド受信部３１０、アンライセンスドバンド受信部３２０、アンライセンスドバンド送信部３３０、およびライセンスドバンド送信部３４０を有する。【００６６】
なお、アンテナ３００は、ライセンスドバンド受信部３１０、アンライセンスドバンド受信部３２０、アンライセンスドバンド送信部３３０、およびライセンスドバンド送信部３４０のそれぞれに、別々に設けられていてもよい。【００６７】
ライセンスドバンド受信部３１０は、ライセンスドバンドにおいて受信した信号からデータを復調する処理を行う。ライセンスドバンド受信部３１０は、無線処理部３１１、ＦＦＴ処理部３１２、および復調部３１５を有する。【００６８】
無線処理部３１１は、アンテナ３００を介して受信した信号に対して無線処理を行う。無線処理部３１１によって行われる無線処理には、例えば受信信号の周波数をライセンスドバンドの周波数からベースバンドの周波数へ変換する処理が含まれる。無線処理部３１１は、無線処理後の受信信号をＦＦＴ処理部３１２へ出力する。【００６９】
ＦＦＴ処理部３１２は、無線処理部３１１から出力された受信信号に対してＦＦＴ処理を行う。これにより、無線処理部３１１から出力された受信信号が時間領域から周波数領域に変換される。ＦＦＴ処理部３１２は、ＦＦＴ処理後の受信信号を復調部３１５へ出力する。【００７０】
復調部３１５は、ＦＦＴ処理部３１２から出力された信号に対して等化処理等を行うことにより受信信号を復調する。そして、復調部３１５は、復調後の受信信号を復号部３０１へ出力する。ライセンスドバンド受信部３１０によって復調された受信信号から復号されたデータには、ＵＬグラント等を含む制御信号が含まれる。【００７１】
アンライセンスドバンド受信部３２０は、アンライセンスドバンドにおいて受信した信号からデータを復調する処理を行う。アンライセンスドバンド受信部３２０は、無線処理部３２１、ＦＦＴ処理部３２２、および復調部３２５を有する。【００７２】
無線処理部３２１は、アンテナ３００を介して受信した信号に対して無線処理を行う。無線処理部３２１によって行われる無線処理には、例えば受信信号の周波数をアンライセンスドバンドの周波数からベースバンドの周波数へ変換する処理が含まれる。無線処理部３２１は、無線処理後の受信信号をＦＦＴ処理部３２２へ出力する。【００７３】
ＦＦＴ処理部３２２は、無線処理部３２１から出力された受信信号に対してＦＦＴ処理を行う。これにより、無線処理部３２１から出力された受信信号が時間領域から周波数領域に変換される。そして、ＦＦＴ処理部３２２は、ＦＦＴ処理後の受信信号を復調部３２５へ出力する。【００７４】
復調部３２５は、ＦＦＴ処理部３２２から出力された信号に対して等化処理等を行うことにより受信信号を復調する。そして、復調部３２５は、復調後の受信信号を復号部３０１へ出力する。アンライセンスドバンド受信部３２０によって復調された受信信号から復号されたデータには、許可信号等を含む制御信号が含まれる。【００７５】
復号部３０１は、ライセンスドバンド受信部３１０およびアンライセンスドバンド受信部３２０から出力された受信信号からユーザデータおよび制御信号を復号する。そして、復号部３０１は、復号後のユーザデータを、例えば受信したデータに基づいて処理を行うアプリケーション処理部（図示せず）へ出力する。また、復号部３０１は、復号後の制御信号を、ＲＲＣ処理部３０４および上りリンク管理部３０５へ出力する。上りリンク管理部３０５へ出力される制御信号には、ＵＬグラントおよび許可信号等が含まれる。【００７６】
ＲＲＣ処理部３０４は、復号部３０１から出力された制御信号に基づいて無線リソース制御を行う。ＲＲＣ処理部３０４は、無線リソース制御に基づいて制御情報を生成し、生成した制御情報を上りリンク管理部３０５へ出力する。【００７７】
上りリンク管理部３０５は、ＲＲＣ処理部３０４から出力された制御情報と、復号部３０１から出力された制御信号とに基づいてＵＬの制御を行う。上りリンク管理部３０５は、例えば、復号部３０１からＵＬグラントが出力された場合、該ＵＬグラントから、ＵＬのデータ送信に割り当てられたアンライセンスドバンドのサブバンドの情報、オフセット、および期限情報を取得する。【００７８】
また、上りリンク管理部３０５は、復号部３０１からＵＬグラントが出力されてから所定時間後の第１の送信タイミングまでの間に、復号部３０１から許可信号が出力されたか否かを判定する。復号部３０１からＵＬグラントが出力されてから所定時間後の第１の送信タイミングまでの間に、復号部３０１から許可信号が出力された場合、上りリンク管理部３０５は、第１の送信タイミングにおいて、データ送信を符号化・変調部３０６に指示する。【００７９】
一方、復号部３０１からのＵＬグラントの出力後の第１の送信タイミングまでの間に、復号部３０１から許可信号が出力されなかった場合、上りリンク管理部３０５は、期限情報で示される期限までの間に復号部３０１から許可信号が出力されたか否かを判定する。期限情報で示される期限までの間に復号部３０１から許可信号が出力された場合、上りリンク管理部３０５は、ＵＬグラントの受信後の第１の送信タイミングを基準として、ＵＬのデータ送信を行う第２の送信タイミングを特定する。そして、上りリンク管理部３０５は、特定した第２の送信タイミングにおいて、データ送信を符号化・変調部３０６に指示する。【００８０】
例えば、３サブフレームの期間を指定するオフセットを含むＵＬグラント４０を受信し、第１の送信タイミングから７サブフレーム後に許可信号を受信した場合を考える。この場合、上りリンク管理部３０５は、例えば、第１の送信タイミングから９サブフレーム後を第２の送信タイミングとして特定する。【００８１】
また、上りリンク管理部３０５は、ＵＬのデータ送信に用いられるリソースの割り当て情報を後述する周波数マッピング部３３３および周波数マッピング部３４３へ出力する。【００８２】
パケット生成部３０７は、例えばアプリケーション処理部（図示せず）から出力されたユーザデータを含むパケットを生成する。そして、パケット生成部３０７は、生成したパケットを符号化・変調部３０６へ出力する。符号化・変調部３０６は、パケット生成部３０７から出力されたパケットに対して符号化および変調の処理を行う。そして、符号化・変調部３０６は、符号化および変調の処理が行われた送信信号を、上りリンク管理部３０５から指示に応じて、アンライセンスドバンド送信部３３０またはライセンスドバンド送信部３４０へ出力する。【００８３】
ライセンスドバンド送信部３４０は、ライセンスドバンドにおいてデータを送信する処理を行う。ライセンスドバンド送信部３４０は、無線処理部３４１、ＩＦＦＴ処理部３４２、周波数マッピング部３４３、ＦＦＴ処理部３４４、および多重部３４５を有する。【００８４】
多重部３４５は、上りリンク管理部３０５から出力された制御信号と、符号化・変調部３０６から出力された送信信号とを多重化する。そして、多重部３４５は、多重化後の送信信号をＦＦＴ処理部３４４へ出力する。ＦＦＴ処理部３４４は、多重部３４５から出力された送信信号に対してＦＦＴ処理を行う。これにより、多重部３４５から出力された送信信号が時間領域から周波数領域に変換される。ＦＦＴ処理部３４４は、ＦＦＴ処理後の送信信号を周波数マッピング部３４３へ出力する。【００８５】
周波数マッピング部３４３は、上りリンク管理部３０５から出力されたＵＬのリソースの割り当て情報に基づいて、ＦＦＴ処理部３４４から出力された送信信号に対して周波数マッピングを行う。そして、周波数マッピング部３４３は、周波数マッピング後の送信信号をＩＦＦＴ処理部３４２へ出力する。【００８６】
ＩＦＦＴ処理部３４２は、周波数マッピング部３４３から出力された送信信号に対してＩＦＦＴ処理を行う。これにより、周波数マッピング部３４３から出力された送信信号が周波数領域から時間領域に変換される。ＩＦＦＴ処理部３４２は、ＩＦＦＴ処理後の送信信号を無線処理部３４１へ出力する。【００８７】
無線処理部３４１は、ＩＦＦＴ処理部３４２から出力された送信信号に対して無線処理を行う。無線処理部３４１によって行われる無線処理には、例えば送信信号の周波数をベースバンドの周波数からライセンスドバンドの周波数へ変換する処理が含まれる。無線処理部３４１は、無線処理後の送信信号をアンテナ３００を介して送信する。【００８８】
アンライセンスドバンド送信部３３０は、アンライセンスドバンドにおいてデータを送信する処理を行う。アンライセンスドバンド送信部３３０は、無線処理部３３１、ＩＦＦＴ処理部３３２、周波数マッピング部３３３、ＦＦＴ処理部３３４、および多重部３３５を有する。【００８９】
多重部３３５は、上りリンク管理部３０５から出力された制御信号と、符号化・変調部３０６から出力された信号とを多重化する。そして、多重部３３５は、多重化後の送信信号をＦＦＴ処理部３３４へ出力する。ＦＦＴ処理部３３４は、多重部３３５から出力された送信信号に対してＦＦＴ処理を行う。これにより、多重部３３５から出力された送信信号が時間領域から周波数領域に変換される。ＦＦＴ処理部３３４は、ＦＦＴ処理後の送信信号を周波数マッピング部３３３へ出力する。【００９０】
周波数マッピング部３３３は、上りリンク管理部３０５から出力されたＵＬのリソースの割り当て情報に基づいて、ＦＦＴ処理部３３４から出力された送信信号に対して周波数マッピングを行う。そして、周波数マッピング部３３３は、周波数マッピング後の送信信号をＩＦＦＴ処理部３３２へ出力する。【００９１】
ＩＦＦＴ処理部３３２は、周波数マッピング部３３３から出力された送信信号に対してＩＦＦＴ処理を行う。これにより、周波数マッピング部３３３から出力された送信信号が周波数領域から時間領域に変換される。ＩＦＦＴ処理部３３２は、ＩＦＦＴ処理後の送信信号を無線処理部３３１へ出力する。【００９２】
無線処理部３３１は、ＩＦＦＴ処理部３３２から出力された送信信号に対して無線処理を行う。無線処理部３３１によって行われる無線処理には、例えば送信信号の周波数をベースバンドの周波数からアンライセンスドバンドの周波数へ変換する処理が含まれる。無線処理部３３１は、無線処理後の送信信号をアンテナ３００を介して送信する。【００９３】
［基地局２０の動作］
次に、基地局２０の動作を説明する。図６は、実施例１における基地局２０の動作の一例を示すフローチャートである。【００９４】
まず、上りリンク管理部２０２は、端末３０に対するデータの送信要求が発生したか否かを判定する（Ｓ１００）。端末３０に対するデータの送信要求が発生した場合（Ｓ１００：Ｙｅｓ）、上りリンク管理部２０２は、オフセットの値を決定する（Ｓ１０１）。上りリンク管理部２０２は、例えば、同一のサブバンドにおいてデータ送信に割り当てる連続するサブフレームの数を、オフセットの値として決定する。【００９５】
次に、上りリンク管理部２０２は、期限情報を作成する（Ｓ１０２）。そして、上りリンク管理部２０２は、決定したオフセットと作成した期限情報とを含み、ＵＬのデータ送信に割り当てるアンライセンスドバンドのサブバンドの情報を含むＵＬグラントを作成する。そして、上りリンク管理部２０２は、ＵＬグラントの送信タイミングか否かを判定する（Ｓ１０３）。上りリンク管理部２０２は、連続するサブフレームをデータ送信に割り当てる場合、連続するそれぞれのサブフレームのタイミングでＵＬグラントを送信する。【００９６】
ＵＬグラントの送信タイミングではない場合（Ｓ１０３：Ｎｏ）、上りリンク管理部２０２は、ステップＳ１０５に示す処理を実行する。一方、ＵＬグラントの送信タイミングである場合（Ｓ１０３：Ｙｅｓ）、上りリンク管理部２０２は、ＵＬグラントを、ライセンスドバンド送信部２１０を介して端末３０へ送信する（Ｓ１０４）。そして、上りリンク管理部２０２は、許可信号の送信タイミングか否かを判定する（Ｓ１０５）。上りリンク管理部２０２は、ステップＳ１０４においてＵＬグラントを送信したサブフレームから例えば３サブフレームの期間が経過した場合に、許可信号の送信タイミングであると判定する。【００９７】
許可信号の送信タイミングではない場合（Ｓ１０５：Ｎｏ）、上りリンク管理部２０２は、再びステップＳ１０３に示した処理を実行する。一方、許可信号の送信タイミングである場合（Ｓ１０５：Ｙｅｓ）、上りリンク管理部２０２は、許可信号を多重部２２３へ出力し、キャリアセンス部２０５にキャリアセンスを指示する。キャリアセンス部２０５は、キャリアセンスを実行し、アンライセンスドバンドがアイドルか否かを判定する（Ｓ１０６）。アンライセンスドバンドがアイドルである場合（Ｓ１０６：Ｙｅｓ）、キャリアセンス部２０５は、ＩＦＦＴ処理部２２４に送信信号の送信を指示する。これにより、アンライセンスドバンドに許可信号が送信される（Ｓ１０７）。そして、上りリンク管理部２０２は、再びステップＳ１００に示した処理を実行する。【００９８】
一方、アンライセンスドバンドがビジーである場合（Ｓ１０６：Ｎｏ）、上りリンク管理部２０２は、ＵＬグラントに含めた期限情報を参照して、期限が経過したか否かを判定する（Ｓ１０８）。期限が経過していない場合（Ｓ１０８：Ｎｏ）、上りリンク管理部２０２は、再びステップＳ１０６に示した処理を実行する。一方、期限が経過した場合（Ｓ１０８：Ｙｅｓ）、上りリンク管理部２０２は、許可信号の送信をキャンセルする（Ｓ１０９）。そして、上りリンク管理部２０２は、再びステップＳ１００に示した処理を実行する。【００９９】
［端末３０の動作］
次に、端末３０の動作を説明する。図７は、実施例１における端末３０の動作の一例を示すフローチャートである。【０１００】
まず、上りリンク管理部３０５は、ライセンスドバンドにおいてＵＬグラントを受信したか否かを判定する（Ｓ２００）。ＵＬグラントを受信した場合（Ｓ２００：Ｙｅｓ）、上りリンク管理部３０５は、受信したＵＬグラントから、オフセットおよび期限情報を取得する（Ｓ２０１）。【０１０１】
次に、上りリンク管理部３０５は、許可信号を受信したか否かを判定する（Ｓ２０２）。許可信号を受信していない場合（Ｓ２０２：Ｎｏ）、上りリンク管理部３０５は、ＵＬグラントから取得した期限情報で示された期限が経過したか否かを判定する（Ｓ２０６）。期限が経過していない場合（Ｓ２０６：Ｎｏ）、上りリンク管理部３０５は、再びステップＳ２０２に示した処理を実行する。一方、期限が経過した場合（Ｓ２０６：Ｙｅｓ）、上りリンク管理部３０５は、ＵＬグラントで指示されたＵＬのデータ送信をキャンセルし、再びステップＳ２００に示した処理を実行する。【０１０２】
許可信号を受信した場合（Ｓ２０２：Ｙｅｓ）、上りリンク管理部３０５は、許可信号の受信タイミングが、ＵＬグラントの受信後の第１の送信タイミングより前のタイミングか否かを判定する（Ｓ２０３）。許可信号の受信タイミングが第１の送信タイミングより前のタイミングである場合（Ｓ２０３：Ｙｅｓ）、上りリンク管理部３０５は、第１の送信タイミングのサブフレームでＵＬにおいてデータを送信する（Ｓ２０４）。そして、上りリンク管理部３０５は、再びステップＳ２００に示した処理を実行する。【０１０３】
許可信号の受信タイミングが第１の送信タイミングより後のタイミングである場合（Ｓ２０３：Ｎｏ）、上りリンク管理部３０５は、第１の送信タイミングからオフセットで指定された時間後の第２の送信タイミングを特定する。そして、上りリンク管理部３０５は、特定した第２の送信タイミングのサブフレームで、ＵＬにおいてデータを送信する（Ｓ２０５）。そして、上りリンク管理部３０５は、再びステップＳ２００に示した処理を実行する。【０１０４】
［実施例１の効果］
以上、実施例１について説明した。上記説明から明らかなように、本実施例の無線通信システム１０によれば、アンライセンスドバンドにおけるＵＬのスループットを向上させることができる。
【実施例２】
【０１０５】
実施例１では、オフセットがＵＬグラントに含まれていたが、本実施例では、オフセットが許可信号に含まれる点が、実施例１とは異なる。なお、以下に説明する点を除き、基地局２０および端末３０の機能ブロックは、図４および図５を用いて説明したそれぞれの機能ブロックと同様であるため、詳細な説明は省略する。【０１０６】
［基地局２０の動作］
図８は、実施例２における基地局２０の動作の一例を示すフローチャートである。【０１０７】
まず、上りリンク管理部２０２は、オフセットを示す変数Ｔを０に初期化する（Ｓ３００）。そして、上りリンク管理部２０２は、端末３０に対するデータの送信要求が発生したか否かを判定する（Ｓ３０１）。端末３０に対するデータの送信要求が発生した場合（Ｓ３０１：Ｙｅｓ）、上りリンク管理部２０２は、変数Ｔを１増やし（Ｓ３０２）、期限情報を作成する（Ｓ３０３）。【０１０８】
次に、上りリンク管理部２０２は、作成した期限情報と、ＵＬのデータ送信に割り当てるアンライセンスドバンドのサブバンドの情報とを含むＵＬグラントを作成する。そして、上りリンク管理部２０２は、作成したＵＬグラントを、ライセンスドバンド送信部２１０を介して端末３０へ送信する（Ｓ３０４）。そして、上りリンク管理部２０２は、再びステップＳ３０１に示した処理を実行する。【０１０９】
端末３０に対するデータの送信要求が発生していない場合（Ｓ３０１：Ｎｏ）、上りリンク管理部２０２は、許可信号の送信タイミングか否かを判定する（Ｓ３０５）。許可信号の送信タイミングではない場合（Ｓ３０５：Ｎｏ）、上りリンク管理部２０２は、再びステップＳ３０１に示した処理を実行する。【０１１０】
一方、許可信号の送信タイミングである場合（Ｓ３０５：Ｙｅｓ）、上りリンク管理部２０２は、変数Ｔの値をオフセットの値として決定する（Ｓ３０６）。そして、上りリンク管理部２０２は、決定したオフセットの値を含む許可信号を作成し、作成した許可信号を多重部２２３へ出力する。そして、上りリンク管理部２０２は、キャリアセンス部２０５にキャリアセンスを指示する。キャリアセンス部２０５は、キャリアセンスを実行し、アンライセンスドバンドがアイドルか否かを判定する（Ｓ３０７）。【０１１１】
アンライセンスドバンドがアイドルである場合（Ｓ３０７：Ｙｅｓ）、キャリアセンス部２０５は、ＩＦＦＴ処理部２２４に送信信号の送信を指示する。これにより、アンライセンスドバンドに許可信号が送信される（Ｓ３０８）。そして、上りリンク管理部２０２は、変数Ｔの値を０に初期化し（Ｓ３１１）、再びステップＳ３０１に示した処理を実行する。【０１１２】
一方、アンライセンスドバンドがビジーである場合（Ｓ３０７：Ｎｏ）、上りリンク管理部２０２は、ＵＬグラントに含めた期限情報を参照して、期限が経過したか否かを判定する（Ｓ３０９）。期限が経過していない場合（Ｓ３０９：Ｎｏ）、上りリンク管理部２０２は、再びステップＳ３０７に示した処理を実行する。一方、期限が経過した場合（Ｓ３０９：Ｙｅｓ）、上りリンク管理部２０２は、許可信号の送信をキャンセルする（Ｓ３１０）。そして、上りリンク管理部２０２は、ステップＳ３１１に示した処理を実行する。【０１１３】
［端末３０の動作］
図９は、実施例２における端末３０の動作の一例を示すフローチャートである。【０１１４】
まず、上りリンク管理部３０５は、ライセンスドバンドにおいてＵＬグラントを受信したか否かを判定する（Ｓ４００）。ＵＬグラントを受信した場合（Ｓ４００：Ｙｅｓ）、上りリンク管理部３０５は、受信したＵＬグラントから、期限情報を取得する（Ｓ４０１）。【０１１５】
次に、上りリンク管理部３０５は、許可信号を受信したか否かを判定する（Ｓ４０２）。許可信号を受信していない場合（Ｓ４０２：Ｎｏ）、上りリンク管理部３０５は、ＵＬグラントから取得した期限情報で示された期限が経過したか否かを判定する（Ｓ４０７）。期限が経過していない場合（Ｓ４０７：Ｎｏ）、上りリンク管理部３０５は、再びステップＳ４０２に示した処理を実行する。一方、期限が経過した場合（Ｓ４０７：Ｙｅｓ）、上りリンク管理部３０５は、ＵＬグラントで指示されたＵＬのデータ送信をキャンセルし、再びステップＳ４００に示した処理を実行する。【０１１６】
許可信号を受信した場合（Ｓ４０２：Ｙｅｓ）、上りリンク管理部３０５は、許可信号からオフセットを取得する（Ｓ４０３）。そして、上りリンク管理部３０５は、許可信号の受信タイミングが、ＵＬグラントの受信後の第１の送信タイミングより前のタイミングか否かを判定する（Ｓ４０４）。許可信号の受信タイミングが第１の送信タイミングより前のタイミングである場合（Ｓ４０４：Ｙｅｓ）、上りリンク管理部３０５は、第１の送信タイミングのサブフレームにおいてデータを送信する（Ｓ４０５）。そして、上りリンク管理部３０５は、再びステップＳ４００に示した処理を実行する。【０１１７】
一方、許可信号の受信タイミングが第１の送信タイミングより後のタイミングである場合（Ｓ４０４：Ｎｏ）、上りリンク管理部３０５は、第１の送信タイミングからオフセットで指定された時間後の第２の送信タイミングを特定する。そして、上りリンク管理部３０５は、特定した第２の送信タイミングのサブフレームで、ＵＬにおいてデータを送信する（Ｓ４０６）。そして、上りリンク管理部３０５は、再びステップＳ４００に示した処理を実行する。【０１１８】
［実施例２の効果］
以上、実施例２について説明した。上記説明から明らかなように、本実施例の無線通信システム１０によれば、アンライセンスドバンドにおけるＵＬのスループットを向上させることができる。また、本実施例では、許可信号が送信されるまでにオフセットの値が確定すればよいため、端末３０に割り当てるＵＬのデータ送信タイミングに応じて、より柔軟にオフセットの値を決定することができる。
【実施例３】
【０１１９】
実施例１では、端末３０がＵＬのデータ送信を行う前に基地局２０がアンライセンスドバンドのＬＢＴを行うが、本実施例では、端末３０がＵＬのデータ送信を行う前に端末３０自身でアンライセンスドバンドのＬＢＴを行う点が実施例１とは異なる。【０１２０】
［無線通信システム１０の動作］
図１０は、実施例３における無線通信システム１０の動作の一例を示す図である。なお、以下に説明する点を除き、図１０において図２または図３と同一の符号が付された要素は、図２または図３に示した要素と同様であるため、説明を省略する。【０１２１】
本実施例において、各端末３０は、基地局２０からＵＬグラント４０を受信した場合に、ＵＬグラント４０の受信後の第１の送信タイミングよりも所定時間前（例えば１サブフレーム前）に、アンライセンスドバンドにおいてＬＢＴを実行する。そして、アンライセンスドバンドのアイドルが、所定のバックオフの期間、継続したことを確認した後に、各端末３０は、第１の送信タイミングでＵＬのデータ送信を行う。【０１２２】
一方、ＵＬグラント４０の受信後の第１の送信タイミングより前にアンライセンスドバンドのアイドルが検出されなかった場合、端末３０は、オフセットで指定された第２の送信タイミングより所定時間前のタイミングまでＬＢＴを延期する。そして、再開したＬＢＴにおいてアンライセンスドバンドのアイドルを検出した場合、端末３０は、第１の送信タイミングから、ＵＬグラント４０に含まれたオフセットで指定された期間後の第２の送信タイミングにおいて、ＵＬのデータ送信を行う。【０１２３】
図１０に例示するように、ＵＬグラント４０−１が送信されたサブフレームから所定時間後のサブフレーム期間ｔ４において、アンライセンスドバンドに他の信号４７が送信されている場合、端末３０ａおよび３０ｂは、アンライセンスドバンドのビジーを検出する。そして、端末３０ａおよび３０ｂは、サブフレーム期間ｔ４から、オフセットで指定された期間（図１０の例では、３サブフレームの期間）が経過した第２の送信タイミングのサブフレーム期間ｔ８の前のサブフレーム期間ｔ７までＬＢＴを待機する。【０１２４】
そして、端末３０ａおよび３０ｂは、サブフレーム期間ｔ７において、ＬＢＴを再開する。そして、サブフレーム期間ｔ７においてアンライセンスドバンドのアイドルを検出した場合、端末３０ａは、所定のバックオフの期間４８−１、アイドル状態の継続を確認した後に、アンライセンスドバンドでＵＬのデータ４４−１を送信する。端末３０ｂも同様に、サブフレーム期間ｔ７においてアンライセンスドバンドのアイドルを検出した場合、所定のバックオフの期間４９−１、アイドル状態の継続を確認した後に、アンライセンスドバンドでＵＬのデータ４５−１を送信する。【０１２５】
このように、本実施例では、ＵＬグラントの受信後の第１の送信タイミングまでにアンライセンスドバンドのアイドルが検出されない場合、端末３０は、第１の送信タイミングからオフセットで指定された期間後の第２の送信タイミングより所定時間前まで待機する。そして、端末３０は、第２の送信タイミングより所定時間前のタイミングで、ＬＢＴを再開し、アンライセンスドバンドのアイドルが検出された場合に、第２の送信タイミングでＵＬのデータ送信を行う。これにより、第１の送信タイミングにおいてアンライセンスドバンドがビジーである場合に、端末３０は、基地局２０からＵＬグラントが再送されなくても、アンライセンスドバンドのアイドルを検出した後にＵＬのデータ送信を行う。これにより、ＵＬのスループットを向上させることができる。また、ＵＬグラントの再送を減らすことができるため、基地局２０の処理負荷を軽減することができると共に、ライセンスドバンドのトラフィックの増加を抑えることができる。【０１２６】
［基地局２０］
本実施例における基地局２０は、以下に説明する点を除き、図４において説明した実施例１における基地局２０と同様であるため、詳細な説明は省略する。本実施例における基地局２０は、キャリアセンス部２０５を有しない点が実施例１における基地局２０とは異なる。また、本実施例における上りリンク管理部２０２は、ＵＬグラントを送信した後は、許可信号を送信しない点が実施例１における上りリンク管理部２０２とは異なる。【０１２７】
［端末３０］
図１１は、実施例３における端末３０の一例を示すブロック図である。なお、以下に説明する点を除き、図１１において、図５と同一の符号を付した要素は、図５において説明した要素と同様であるため、詳細な説明は省略する。本実施例における端末３０は、キャリアセンス部３０２を有する点が、実施例１における端末３０と異なる。【０１２８】
キャリアセンス部３０２は、アンライセンスドバンド受信部３２０の無線処理部３２１から出力された受信信号に基づいて、アンライセンスドバンドにおける干渉電力を測定する。そして、キャリアセンス部３０２は、測定結果に基づいて、アンライセンスドバンドがアイドルまたはビジーのいずれであるかを判定する。そして、キャリアセンス部３０２は、判定結果を上りリンク管理部３０５へ出力する。キャリアセンス部３０２は、例えば、上りリンク管理部３０５からキャリアセンスの開始および終了に関するタイミング情報や所定アイドル期間などの情報を受信し、区切りのタイミングまでにアイドルと判定できたかどうかを上りリンク管理部３０５に返信する。【０１２９】
上りリンク管理部３０５は、基地局２０からＵＬグラントを受信した場合に、ＵＬグラントからオフセットおよび期限情報を取得する。なお、本実施例において、期限情報は、端末３０のデータ送信を延期可能な期限を示す。上りリンク管理部３０５は、キャリアセンス部３０２にキャリアセンスを指示し、アンライセンスドバンドにおいてＬＢＴを実行させる。ＵＬグラントの受信後の第１の送信タイミングまでの間に、アンライセンスドバンドのアイドルが検出された場合、上りリンク管理部３０５は、所定の長さのバックオフ期間、アイドルが継続したことを確認する。バックオフ期間、アイドルが継続した場合、上りリンク管理部３０５は、第１の送信タイミングにおいてＵＬのデータ送信を符号化・変調部３０６に指示する。キャリアセンス部３０２は、第１の送信タイミングにおいて、ＩＦＦＴ処理部３３２に送信信号の送信を指示する。これにより、第１の送信タイミングにおいて、送信信号がアンライセンスドバンドに送信される。【０１３０】
一方、第１の送信タイミングまでアンライセンスドバンドのアイドルが検出されなかった場合、上りリンク管理部３０５は、第１の送信タイミングからオフセットで指定された期間後の第２の送信タイミングを特定する。そして、上りリンク管理部３０５は、特定した第２の送信タイミングより所定時間前のタイミングにおいて、キャリアセンス部３０２にキャリアセンスを指示し、アンライセンスドバンドにおいてＬＢＴを再度実行させる。そして、アンライセンスドバンドのアイドルが検出された場合、上りリンク管理部３０５は、第２の送信タイミングにおいて、データ送信を符号化・変調部３０６に指示する。キャリアセンス部３０２は、第２の送信タイミングにおいて、ＩＦＦＴ処理部３３２に送信信号の送信を指示する。これにより、第２の送信タイミングにおいて、送信信号がアンライセンスドバンドに送信される。【０１３１】
［基地局２０の動作］
図１２は、実施例３における基地局２０の動作の一例を示すフローチャートである。【０１３２】
まず、上りリンク管理部２０２は、端末３０に対するデータの送信要求が発生したか否かを判定する（Ｓ５００）。端末３０に対するデータの送信要求が発生した場合（Ｓ５００：Ｙｅｓ）、上りリンク管理部２０２は、オフセットの値を決定する（Ｓ５０１）。上りリンク管理部２０２は、例えば、同一のサブバンドにおいてデータ送信に割り当てる連続するサブフレームの数を、オフセットの値として決定する。【０１３３】
次に、上りリンク管理部２０２は、期限情報を作成する（Ｓ５０２）。そして、上りリンク管理部２０２は、決定したオフセットと、作成した期限情報とを含み、ＵＬのデータ送信に割り当てるアンライセンスドバンドのサブバンドの情報を含むＵＬグラントを作成する。そして、上りリンク管理部２０２は、作成したＵＬグラントを、ライセンスドバンド送信部２１０を介して端末３０へ送信する（Ｓ５０３）。そして、上りリンク管理部２０２は、再びステップＳ５００に示した処理を実行する。【０１３４】
［端末３０の動作］
図１３および図１４は、実施例３における端末３０の動作の一例を示すフローチャートである。【０１３５】
まず、上りリンク管理部３０５は、ライセンスドバンドにおいてＵＬグラントを受信したか否かを判定する（Ｓ６００）。ＵＬグラントを受信した場合（Ｓ６００：Ｙｅｓ）、上りリンク管理部３０５は、ＵＬグラントから、オフセットおよび期限情報を取得する（Ｓ６０１）。そして、上りリンク管理部３０５は、変数ｋを０に初期化する（Ｓ６０２）。そして、上りリンク管理部３０５は、ＵＬグラントの受信後の第１の送信タイミングから所定時間前のタイミングまで待機する（Ｓ６０３）。【０１３６】
次に、上りリンク管理部３０５は、キャリアセンス部３０２にキャリアセンスを指示する。キャリアセンス部３０２は、キャリアセンスを実行し、アンライセンスドバンドがアイドルか否かを判定する（Ｓ６０４）。アンライセンスドバンドがアイドルである場合（Ｓ６０４：Ｙｅｓ）、上りリンク管理部３０５は、第１の送信タイミングより前にアンライセンスドバンドのアイドルが検出されたか否かを判定する（Ｓ６０５）。第１の送信タイミングより前にアンライセンスドバンドのアイドルが検出された場合（Ｓ６０５：Ｙｅｓ）、上りリンク管理部３０５は、第１の送信タイミングにおいて、ＵＬのデータ送信を符号化・変調部３０６に指示する。キャリアセンス部３０２は、第１の送信タイミングにおいて、ＩＦＦＴ処理部３３２に送信信号の送信を指示する。これにより、第１の送信タイミングにおいて、送信信号がアンライセンスドバンドに送信される（Ｓ６０６）。そして、上りリンク管理部３０５は、再びステップＳ６００に示した処理を実行する。【０１３７】
一方、第１の送信タイミングより後にアンライセンスドバンドのアイドルが検出された場合（Ｓ６０５：Ｎｏ）、上りリンク管理部３０５は、第２の送信タイミングにおいて、ＵＬのデータ送信を符号化・変調部３０６に指示する。第２の送信タイミングは、後述するステップＳ６０９において特定される。キャリアセンス部３０２は、第２の送信タイミングにおいて、ＩＦＦＴ処理部３３２に送信信号の送信を指示する。これにより、第２の送信タイミングにおいて、送信信号がアンライセンスドバンドに送信される（Ｓ６０７）。そして、上りリンク管理部３０５は、再びステップＳ６００に示した処理を実行する。【０１３８】
アンライセンスドバンドがビジーである場合（Ｓ６０４：Ｎｏ）、上りリンク管理部３０５は、変数ｋを１増やす（図１４のＳ６０８）。そして、上りリンク管理部３０５は、第１の送信タイミングから、オフセットのｋ倍の時間が経過したタイミングを第２の送信タイミングとして特定する（Ｓ６０９）。そして、上りリンク管理部３０５は、ＵＬグラントから取得した期限情報で示された期限が経過したか否かを判定する（Ｓ６１０）。期限が経過した場合（Ｓ６１０：Ｙｅｓ）、上りリンク管理部３０５は、ＵＬグラントで指示されたＵＬのデータ送信をキャンセルし（Ｓ６１１）、再び図１３に示したステップＳ６００の処理を実行する。【０１３９】
一方、期限が経過していない場合（Ｓ６１０：Ｎｏ）、上りリンク管理部３０５は、ステップＳ６０９において特定した第２の送信タイミングから所定時間前のタイミングになったか否かを判定する（Ｓ６１２）。第２の送信タイミングから所定時間前のタイミングになっていない場合（Ｓ６１２：Ｎｏ）、上りリンク管理部３０５は、再びステップＳ６１０に示した処理を実行する。一方、第２の送信タイミングから所定時間前のタイミングになった場合（Ｓ６１２：Ｙｅｓ）、上りリンク管理部３０５は、再び図１３に示したステップＳ６０４の処理を実行する。【０１４０】
［実施例３の効果］
以上、実施例３について説明した。上記説明から明らかなように、本実施例の無線通信システム１０によれば、ＵＬグラントの受信後の第１の送信タイミングまでにアンライセンスドバンドのアイドルが検出されなかった場合、端末３０は、第２の送信タイミングから所定時間前まで待機する。そして、端末３０は、第２の送信タイミングから所定時間前のタイミングで、再びＬＢＴを実行し、アンライセンスドバンドのアイドルが検出された場合に、第２の送信タイミングでＵＬのデータ送信を行う。これにより、第１の送信タイミングにおいてアンライセンスドバンドがビジーである場合に、端末３０は、基地局２０からＵＬグラントが再送されなくても、アンライセンスドバンドのアイドルを検出した後に自発的にＵＬのデータ送信を行う。これにより、ＵＬのスループットを向上させることができる。また、ＵＬグラントの再送を減らすことができるため、基地局２０の処理負荷を軽減することができると共に、ライセンスドバンドのトラフィックの増加を抑えることができる。【０１４１】
［ハードウェア］
上述した各実施例における基地局２０および端末３０は、例えば図１５に示す無線通信装置７０によって実現することができる。図１５は、基地局２０または端末３０の機能を実現する無線通信装置７０の一例を示す図である。無線通信装置７０は、例えば、メモリ７１、プロセッサ７２、アナログデジタル変換器（Ａ／Ｄ）７３、乗算器７４、アンプ７５、発振器７６、デジタルアナログ変換器（Ｄ／Ａ）７７、乗算器７８、アンプ７９、およびアンテナ８０を有する。また、無線通信装置７０は、この他に、外部の通信装置との間で有線通信を行うインタフェースを備えていてもよい。【０１４２】
アンテナ８０は、無線信号を受信し、受信した信号をアンプ７５へ出力する。また、アンテナ８０は、アンプ７９から出力された信号を外部へ送信する。アンプ７５は、アンテナ８０が受信した信号を増幅し、増幅した信号を乗算器７４へ出力する。乗算器７４は、アンプ７５から出力された信号と、発振器７６から出力されたクロック信号とを乗算することにより、受信信号の周波数を高周波帯からベースバンドへ変換する。そして、乗算器７４は、周波数変換した信号をアナログデジタル変換器７３へ出力する。アナログデジタル変換器７３は、乗算器７４から出力されたアナログの受信信号をデジタルの受信信号に変換し、変換後の受信信号をプロセッサ７２へ出力する。【０１４３】
プロセッサ７２は、無線通信装置７０全体の制御を行う。プロセッサ７２は、例えばＣＰＵ（Central  Processing  Unit）やＤＳＰ（Digital  Signal  Processor）などにより実現することができる。プロセッサ７２は、アナログデジタル変換器７３から出力された信号の受信処理を行う。また、プロセッサ７２は、送信信号を生成し、生成した送信信号をデジタルアナログ変換器７７へ出力する。【０１４４】
メモリ７１には、例えばメインメモリおよび補助メモリが含まれる。メインメモリは、例えばＲＡＭ（Random  Access  Memory）である。メインメモリは、プロセッサ７２のワークエリアとして使用される。補助メモリは、例えば磁気ディスクやフラッシュメモリなどの不揮発メモリである。補助メモリには、プロセッサ７２を動作させる各種のプログラムが記憶されている。補助メモリに記憶されたプログラムは、メインメモリにロードされてプロセッサ７２によって実行される。【０１４５】
デジタルアナログ変換器７７は、プロセッサ７２から出力されたデジタルの送信信号をアナログの送信信号に変換し、変換後の送信信号を乗算器７８へ出力する。乗算器７８は、デジタルアナログ変換器７７によって変換された送信信号を、発振器７６から出力されたクロック信号と乗算することにより、送信信号の周波数をベースバンドから高周波帯へ変換する。そして、乗算器７８は、周波数変換した送信信号をアンプ７９へ出力する。アンプ７９は乗算器７８から出力された信号を増幅し、増幅後の送信信号をアンテナ８０を介して外部へ送信する。【０１４６】
発振器７６は、所定周波数のクロック信号（連続波の交流信号）を生成する。そして、発振器７６は、生成したクロック信号を乗算器７４および乗算器７８へ出力する。【０１４７】
無線通信装置７０が図４に示した基地局２０として機能する場合、図４に示したアンテナ２１６、２２６、２３５、および２４５は、例えばアンテナ８０により実現することができる。また、図４に示した無線処理部２１５、２２５、２３４、および２４４は、例えばアナログデジタル変換器７３、乗算器７４、アンプ７５、発振器７６、デジタルアナログ変換器７７、乗算器７８、およびアンプ７９により実現することができる。また、図４に示したその他の構成は、例えばプロセッサ７２およびメモリ７１により実現することができる。【０１４８】
無線通信装置７０が図５または図１１に示した端末３０として機能する場合、図５または図１１に示したアンテナ３００は、例えばアンテナ８０により実現することができる。また、図５または図１１に示した無線処理部３１１、３２１、３３１、および３４１は、例えばアナログデジタル変換器７３、乗算器７４、アンプ７５、発振器７６、デジタルアナログ変換器７７、乗算器７８、およびアンプ７９により実現することができる。また、図５または図１１に示したその他の構成は、例えばプロセッサ７２およびメモリ７１により実現することができる。【０１４９】
［その他］
上記した各実施例において、基地局２０は、ＵＬグラントを、ライセンスドバンドにおいて端末３０へ送信したが、開示の技術はこれに限られない。例えば、基地局２０は、ＵＬグラントを、アンライセンスドバンドにおいて端末３０へ送信してもよい。ただし、アンライセンスドバンドでは、各通信装置が帯域の空きを検出してから送信が行われる。そのため、基地局２０は、端末３０に対するデータの送信要求が発生した場合に、アンライセンスドバンドにおいてＬＢＴを実行し、帯域の空きを確認してから端末３０へＵＬグラント４０を送信する。なお、基地局２０は、許可信号をライセンスドバンドにおいて送信してもよい。【０１５０】
また、基地局２０から送信される電波の受信品質が悪い端末３０は、基地局２０から送信されたＵＬグラントや許可信号の受信に失敗する場合がある。例えば、０以外の値を示すオフセットを含むＵＬグラントが端末３０へ送信された場合、該端末３０が、ＵＬグラントまたは許可信号の受信に失敗すると、ＵＬのデータ送信が行われない。基地局２０は、ＵＬグラントに含めた期限情報で指定された期限が経過するまでは、端末３０からのデータ送信を待ち受ける。そのため、ＵＬグラントに対して未受信のデータがある場合には、他の端末３０に対するＵＬグラントの送信が延期される。これにより、システム全体としてＵＬのスループットが低下する場合がある。【０１５１】
これを回避するために、基地局２０から送信された電波の受信品質が悪い端末３０に対して送信されるＵＬグラントには、再送を行わない旨を示す情報が含まれていてもよい。再送を行わない旨を示す情報としては、例えば０の値を示すオフセットを用いてもよい。これにより、成功率の低いＵＬのデータ送信のために再送の期間を確保することによるＵＬのスループットの低下を回避することができる。【０１５２】
なお、基地局２０から送信された電波の受信品質が悪い端末３０を識別する方法としては、例えば、上りリンク管理部２０２が、ＵＬグラントと許可信号とを送信してもＵＬのデータ送信を行わない回数を失敗回数として端末３０毎に計測する。そして、上りリンク管理部２０２が、失敗回数が所定回数よりも多い端末３０を、基地局２０から送信される電波の受信品質が悪い端末３０として識別することが考えられる。また、受信品質が悪い端末３０として識別された端末３０であっても、その後に、ＵＬグラントおよび許可信号の送信に対してＵＬのデータ送信を行った回数が連続して所定回数を上回った場合に、受信品質が悪い端末３０としての識別が解除されてもよい。【０１５３】
なお、上記した実施例に示した構成要素は、各装置の理解を容易にするために、主な処理内容に応じて機能別に区分したものである。そのため、構成要素の区分方法やその名称によって、開示の技術が制限されることはない。上記実施例に示した各装置の構成は、処理内容に応じて、さらに多くの構成要素に区分することもできるし、１つの構成要素がさらに多くの処理を実行するように区分することもできる。また、それぞれの処理は、ソフトウェアによる処理として実現されてもよく、ＡＳＩＣ（Application  Specific  Integrated  Circuit）等の専用のハードウェアにより実現されてもよい。
【符号の説明】
【０１５４】
２０  基地局
２０２  上りリンク管理部
２０５  キャリアセンス部
２１０  ライセンスドバンド送信部
２２０  アンライセンスドバンド送信部
【図１】
2016162988.tif 000003
【図２】
2016162988.tif 000004
【図３】
2016162988.tif 000005
【図４】
2016162988.tif 000006
【図５】
2016162988.tif 000007
【図６】
2016162988.tif 000008
【図７】
2016162988.tif 000009
【図８】
2016162988.tif 000010
【図９】
2016162988.tif 000011
【図１０】
2016162988.tif 000012
【図１１】
2016162988.tif 000013
【図１２】
2016162988.tif 000014
【図１３】
2016162988.tif 000015
【図１４】
2016162988.tif 000016
【図１５】
2016162988.tif 000017
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
基地局と端末とを有する無線通信システム専用の専用帯域、および、他のシステムと共用される共用帯域を用いて前記端末と無線通信する前記基地局において、
前記共用帯域における前記端末のデータ送信を要求する要求信号であって、前記端末の第１の送信タイミングを指定する要求信号を生成する生成部と、
前記要求信号を前記端末へ送信する送信部と
を有し、
前記要求信号には、
前記第１の送信タイミングで前記端末がデータ送信を行わなかった場合の次のデータ送信のタイミングである第２の送信タイミングを、基準タイミングからのオフセットで指定する情報が含まれることを特徴とする基地局。
【請求項２】
前記共用帯域を用いて前記端末からデータを受信する受信部を有し、
前記送信部は、
前記要求信号を前記端末へ送信した後に、前記共用帯域での送信を許可する許可信号を前記端末へ送信し、
前記要求信号には、
前記許可信号の受信待ち受け期間に関する情報が含まれていることを特徴とする請求項１に記載の基地局。
【請求項３】
前記第１の送信タイミングと前記第２の送信タイミングは、
それぞれ、第１のサブフレームおよび第２のサブフレームに対応することを特徴とする請求項１に記載の基地局。
【請求項４】
基地局と端末とを有する無線通信システム専用の専用帯域、および、他のシステムと共用される共用帯域を用いて前記基地局と無線通信する前記端末において、
前記共用帯域における前記端末のデータ送信を要求する要求信号を受信する受信部と、
前記共用帯域がアイドルまたはビジーのいずれであるかを判定する判定部と、
前記受信部が前記要求信号を受信してから所定時間後の第１の送信タイミングにおいて前記判定部によって前記共用帯域がアイドルであると判定された場合に、前記共用帯域において前記基地局へデータ送信を行う送信部とを有し、
前記要求信号には、
前記第１の送信タイミングでデータ送信を行わなかった場合の次の送信タイミングである第２の送信タイミングを、基準タイミングからのオフセットで指定する情報が含まれており、
前記送信部は、
前記オフセットで指定された前記第２の送信タイミングにおいて前記共用帯域がアイドルである場合に、前記第２の送信タイミングにおいて前記基地局へデータ送信を行うことを特徴とする端末。
【請求項５】
前記基準タイミングは、
前記要求信号を受信したタイミングであることを特徴とする請求項４に記載の端末。
【請求項６】
前記基準タイミングは、
前記第１の送信タイミングに応じたタイミングであることを特徴とする請求項４に記載の端末。
【請求項７】
前記受信部は、
前記基地局から前記要求信号を受信した後に、前記共用帯域での送信を許可する許可信号を受信し、
前記送信部は、
端末が前記許可信号を受信できた場合に、前記共用帯域を用いてデータ送信することを特徴とする請求項４に記載の端末。
【請求項８】
前記要求信号には、
前記許可信号の受信待ち受け期間に関する情報が含まれていることを特徴とする請求項７に記載の端末。
【請求項９】
前記第１の送信タイミングと前記第２の送信タイミングは、
それぞれ、第１のサブフレームおよび第２のサブフレームに対応することを特徴とする請求項４に記載の端末。
【請求項１０】
基地局と端末とを有し、前記基地局と前記端末とが、自システム専用の専用帯域および他のシステムと共用される共用帯域を用いて無線通信する無線通信システムにおいて、
前記基地局は、
前記共用帯域における前記端末のデータ送信を要求する要求信号であって、前記端末の第１の送信タイミングを指定する要求信号を前記端末へ送信する第１送信部
を有し、
前記要求信号には、
前記第１の送信タイミングで前記端末がデータ送信を行わなかった場合の次のデータ送信のタイミングである第２の送信タイミングを、基準タイミングからのオフセットで指定する情報が含まれ、
前記端末は、
前記要求信号を受信する受信部と、
前記共用帯域がアイドルまたはビジーのいずれであるかを判定する判定部と、
前記受信部が前記要求信号を受信した後の前記第１の送信タイミングにおいて前記判定部によって前記共用帯域がアイドルであると判定された場合に、前記共用帯域において前記基地局へデータ送信を行う第２送信部と
を有し、
前記第２送信部は、
前記オフセットで指定された前記第２の送信タイミングにおいて前記共用帯域がアイドルである場合に、前記第２の送信タイミングにおいて前記基地局へデータ送信を行うことを特徴とする無線通信システム。
【請求項１１】
基地局と端末とを有する無線通信システム専用の専用帯域、および、他のシステムと共用される共用帯域を用いて前記端末と無線通信する前記基地局が、
前記共用帯域における前記端末のデータ送信を要求する要求信号であって、前記端末の第１の送信タイミングを指定する要求信号を生成し、
前記要求信号を前記専用帯域において前記端末へ送信する処理を実行し、
前記要求信号には、
前記第１の送信タイミングで前記端末がデータ送信を行わなかった場合の次のデータ送信のタイミングである第２の送信タイミングを、基準タイミングからのオフセットで指定する情報が含まれることを特徴とする基地局の制御方法。
【請求項１２】
基地局と端末とを有する無線通信システム専用の専用帯域、および、他のシステムと共用される共用帯域を用いて前記基地局と無線通信する前記端末が、
前記共用帯域における前記端末のデータ送信を要求する要求信号を受信し、
前記共用帯域がアイドルまたはビジーのいずれであるかを判定し、前記要求信号を受信してから所定時間後の第１の送信タイミングにおいて前記共用帯域がアイドルであると判定した場合に、前記共用帯域において前記基地局へデータ送信を行う
処理を実行し、
前記要求信号には、
前記第１の送信タイミングでデータ送信を行わなかった場合の次の送信タイミングである第２の送信タイミングを、基準タイミングからのオフセットで指定する情報が含まれており、
前記データ送信を行う処理では、
前記オフセットで指定された前記第２の送信タイミングにおいて前記共用帯域がアイドルである場合に、前記第２の送信タイミングにおいて前記基地局へデータ送信を行うことを特徴とする端末の制御方法。
【国際調査報告】
2016162988.tif 000018
2016162988.tif 000019
2016162988.tif 000020
2016162988.tif 000021